(57)【要約】【課題】車椅子のフレーム構成部分に持上体を係着し、ジャッキ機構により接地体を接地して車椅子を浮上させ、車椅子の浮上により車輪を空転状態にすることができ、車輪を空転状態とすることにより車椅子の車輪を容易に清掃することができ、構造も簡素化することができ、かつ、上記接地体に接地輪を配設し、接地輪と接地体との間に接地体を浮上させる浮上バネ機構を設けているから、接地輪により持上体を容易に走行させることができる。【解決手段】車椅子Ｗのフレーム構成部分Ｍに係脱自在な持上体１と、持上体の下方に配置された接地体２と、持上体と接地体との間に介装されたジャッキ機構３とからなり、接地体に接地輪４を配設し、接地輪と接地体との間に接地体を浮上させる浮上バネ機構５を設けてなる。【選択図】図１
2011156087.tif 000002
【特許請求の範囲】
【請求項１】
車椅子のフレーム構成部分に係脱自在な持上体と、該持上体の下方に配置された接地体と、該持上体と該接地体との間に介装されたジャッキ機構とからなり、上記接地体に接地輪を配設し、該接地輪と接地体との間に該接地体を浮上させる浮上バネ機構を設けてなることを特徴とする車椅子車輪清掃用補助具。
【請求項２】
上記フレーム構成部分は車椅子中央下部に配置された左右一対の水平フレームであることを特徴とする請求項１記載の車椅子車輪清掃用補助具。
【請求項３】
上記フレーム構成部分は車椅子後部に配置された左右一対のティッピングレバーであることを特徴とする請求項１記載の車椅子車輪清掃用補助具。
【請求項４】
上記持上体は左右方向に伸縮自在に構成されていることを特徴とする請求項１〜３のいずれか１項に記載の車椅子車輪清掃用補助具。
【請求項５】
上記ジャッキ機構はパンタグラフ構造であることを特徴とする請求項１〜４のいずれか１項に記載の車椅子車輪清掃用補助具。
【発明の詳細な説明】
【技術分野】
【０００１】
本発明は車椅子の車輪を清掃する際に用いられる車椅子車輪清掃用補助具に関するものである。
【背景技術】
【０００２】
従来、この種の車椅子車輪清掃用補助具として、複数個の支持ロールに支持して起毛状表面の無端ベルトを循回走行させ、無端ベルト上に車椅子の後輪たる車輪を乗り入れて載置し、無端ベルトを循回駆動して無端ベルトにより車輪に付着した泥などを清掃除去する構造のものが知られている。
【特許文献１】特開２００３−１６４８１４号公報
【発明の開示】
【発明が解決しようとする課題】
【０００３】
しかしながら上記従来構造の場合、構造が複雑化し易く、駆動源も必要となり、大型化し易く、利便性が低いことになるという不都合を有している。
【課題を解決するための手段】
【０００４】
本発明はこれらの不都合を解決することを目的とするもので、本発明のうちで、請求項１記載の発明は、車椅子のフレーム構成部分に係脱自在な持上体と、該持上体の下方に配置された接地体と、該持上体と該接地体との間に介装されたジャッキ機構とからなり、上記接地体に接地輪を配設し、該接地輪と接地体との間に該接地体を浮上させる浮上バネ機構を設けてなることを特徴とする車椅子車輪清掃用補助具にある。
【０００５】
又、請求項２記載の発明は、上記フレーム構成部分は車椅子中央下部に配置された左右一対の水平フレームであることを特徴とするものであり、又、請求項３記載の発明は、上記フレーム構成部分は車椅子後部に配置された左右一対のティッピングレバーであることを特徴とするものであり、又、請求項４記載の発明は、上記持上体は左右方向に伸縮自在に構成されていることを特徴とするものであり、又、請求項５記載の発明は、上記ジャッキ機構はパンタグラフ構造であることを特徴とするものである。
【発明の効果】
【０００６】
本発明は上述の如く、請求項１記載の発明にあっては、車椅子のフレーム構成部分に持上体を係着し、ジャッキ機構により接地体を接地して車椅子を持上げて浮上させ、車椅子の浮上により車輪を空転状態にすることができ、車輪を空転状態とすることにより車椅子の車輪を容易に清掃することができ、構造も簡素化することができ、別途駆動源も必要なく、小型化することができ、かつ、上記接地体に接地輪を配設し、接地輪と接地体との間に接地体を浮上させる浮上バネ機構を設けているから、接地輪により持上体を容易に走行させることができ、持上体を車椅子のフレーム構成部分に容易に対向位置することができると共に対向位置から持上体を容易に取り出すことができ、車輪清掃時においては、接地体を接地して車椅子を確実に浮上させて車輪を空転状態とすることができ、清掃作業性並びに使用の利便性を高めることができる。
【０００７】
又、請求項２記載の発明にあっては、上記フレーム構成部分は車椅子中央下部に配置された左右一対の水平フレームであるから、車椅子のフレーム構成部分に対する持上体の係脱を容易に行うことができると共に車椅子全体を持ち上げて浮上させることができ、前輪及び後輪の両車輪を空転状態とすることができ、清掃作業性並びに使用の利便性を高めることができ、又、請求項３記載の発明にあっては、上記フレーム構成部分は車椅子後部に配置された左右一対のティッピングレバーであるから、車椅子のフレーム構成部分に対する持上体の係脱を容易に行うことができると共に車椅子の後側を持ち上げて浮上動作させることができ、車輪を容易に清掃することができ、又、請求項４記載の発明にあっては、上記持上体は左右方向に伸縮自在に構成されているから、左右一対の水平フレームの寸法の異なる各種の車椅子に装着することができ、使用の融通性を高めることができ、又、請求項５記載の発明にあっては、上記ジャッキ機構はパンタグラフ構造であるから、簡素な構造とすることができると共に容易に車椅子を持ち上げて浮上させることができ、車輪清掃の作業性を向上することができる。
【発明を実施するための最良の形態】
【０００８】
図１乃至図１１は本発明の実施の形態例を示し、図１乃至図８は第一形態例、図９乃至図１１は第二形態例を示している。
【０００９】
図１乃至図８の第一形態例において、図４の如く、大別して、座部Ｗ１、肘掛部Ｗ２・Ｗ２、背部Ｗ３、ハンドルＧ、左右の後輪たる車輪Ｅ・Ｅ及び前輪Ｋ・Ｋからなる車椅子Ｗのフレーム構成部分Ｍに係脱自在な持上体１と、持上体１の下方に配置された接地体２と、持上体１と接地体２との間に介装されたジャッキ機構３とからなり、上記接地体２に接地輪４を配設し、接地輪４と接地体２との間に接地体２を浮上させる浮上バネ機構５を設けて構成している。
【００１０】
この場合、図１の如く、上記持上体１は四角筒状の基筒体１ａと基筒体１ａの左右両側にスライド自在に嵌合されたスライド筒１ｂ・１ｂとからなり、基筒体１ａにスライド筒１ｂ・１ｂを固定するボルト１ｃ・１ｃを設け、各スライド筒１ｂ・１ｂに上記フレーム構成部分Ｍとしての車椅子Ｗ中央下部に配置された左右一対の水平フレームＨ・Ｈに係脱自在なＬ型部材１ｄ・１ｄがそれぞれ固着され、かつ、この場合、図８の如く、持上体１のスライド筒１ｂ・１ｂに固着した左右一対のＬ型部材１ｄ・１ｄ間の寸法がフレーム構成部分Ｍとしての左右一対の水平フレームＨ・Ｈ間の寸法に応じて左右方向に伸縮調節できるように構成している。
【００１１】
又、この場合、上記ジャッキ機構３はパンタグラフ構造となっており、図１、図２、図３の如く、持上体１の基筒体１ａに上支持板３ａを固定し、接地体２に下支持板３ｂを固定し、上支持板３ａの左右両側に左右一対の上リンク杆３ｃ・３ｃを上ピン３ｄ・３ｄにより枢着すると共に下支持板３ｂの左右両側に左右一対の下リンク杆３ｅ・３ｅを下ピン３ｆ・３ｆにより枢着し、上リンク杆３ｃ・３ｃ及び下リンク杆３ｅ・３ｅの各左右の端部同士を支持軸３ｇ・３ｇにより枢着連結し、一方の支持軸３ｇに嵌通穴３ｈを形成すると共に他方の支持軸３ｇに螺子部３ｉを形成し、螺子杆３ｊを嵌通穴３ｈに嵌通して螺子部３ｉに螺着し、螺子杆３ｊの端部に手回ハンドルＦが係脱可能なリング状の係脱部３ｋを設けて構成している。しかして、手回ハンドルＦを係脱部３ｋに係合して螺子杆３ｊを回転させると、上リンク杆３ｃ・３ｃ及び下リンク杆３ｅ・３ｅの作用により、図９の如く、上支持板３ａと下支持板３ｂとの上下の間隔が大きくなり、又、螺子杆３ｊを逆回転させると、上リンク杆３ｃ・３ｃ及び下リンク杆３ｅ・３ｅの作用により、図２の如く、上支持板３ａと下支持板３ｂとの上下の間隔が小さくなる。
【００１２】
又、この場合、図２、図６の如く、上記接地体２には四個の接地輪４が設けられ、上記浮上バネ機構５として、上記接地体２の四隅部にそれぞれ取付板２ａ・・を形成し、取付板２ａ・・に筒部２ｂ・・を形成し、筒部２ｂ・・に縦軸２ｃ・・を上下摺動自在に嵌挿し、縦軸２ｃ・・の上端部に止めボルト２ｄ・・を螺着固定し、接地体２の底面にゴムなどの緩衝部材２ｅを取付け、接地輪４の輪軸４ａを支持する支持片４ｂと接地体２の取付板２ａ・・との間にバネ自由状態において接地輪４の外周面が接地体２の底面の緩衝部材２ｅよりも下方に突出して接地体２を浮上させる浮上バネ５ａを設けて構成されている。
【００１３】
この実施の第一形態例は上記構成であるから、後輪たる車輪Ｅ清掃時において、図４、図５の如く、上記接地輪４の転動により接地体２を走行して車椅子Ｗのフレーム構成部分Ｍ、この場合、左右一対の水平フレームＨ・Ｈの中央下部の下方対向位置に移動配置し、この対向位置において、手回ハンドルＦを螺子杆３ｊの係脱部３ｋに係合して螺子杆３ｊを回転させ、パンタグラフ構造のジャッキ機構３により接地体２を降下させ、図６から図７、図８の如く、接地体２下面の緩衝部材２ｅは接地面Ｄに接地し、更なる接地体２の降下により浮上バネ機構５の浮上バネ５ａは圧縮して接地輪４は上昇し、接地体２の接地降下により車椅子Ｗ全体が持ち上げられて接地面Ｄから浮上動作し、車椅子Ｗ全体の浮上により前輪Ｋ及び後輪たる車輪Ｅは空転可能となり、この空転状態で車輪Ｅを雑巾などにより容易に清掃することができる。
【００１４】
したがって、車椅子Ｗのフレーム構成部分Ｍに持上体１を係着し、ジャッキ機構３により接地体２を接地して車椅子Ｗを持上げて浮上させ、車椅子Ｗの浮上により車輪Ｅを空転状態にすることができ、車輪Ｅを空転状態とすることにより車椅子Ｗの車輪Ｅを容易に清掃することができ、構造も簡素化することができ、別途駆動源も必要なく、小型化することができ、かつ、上記接地体２に接地輪４を配設し、接地輪４と接地体２との間に接地体２を浮上させる浮上バネ機構５を設けているから、接地輪４により持上体１を容易に走行させることができ、持上体１を車椅子Ｗのフレーム構成部分Ｍに容易に対向位置することができると共に対向位置から持上体１を容易に取り出すことができ、車輪清掃時においては、接地体２を接地して車椅子Ｗを確実に浮上させて車輪Ｅを空転状態とすることができ、清掃作業性並びに使用の利便性を高めることができる。
【００１５】
この場合、上記フレーム構成部分Ｍは車椅子Ｗ中央下部に配置された左右一対の水平フレームＨ・Ｈであるから、車椅子Ｗのフレーム構成部分Ｍに対する持上体１の係脱を容易に行うことができると共に車椅子Ｗ全体を持ち上げて浮上させることができ、前輪Ｋ及び後輪の両車輪Ｋ・Ｅを空転状態とすることができ、清掃作業性並びに使用の利便性を高めることでき、又、この場合、上記持上体１は左右方向に伸縮自在に構成されているから、左右一対の水平フレームＨ・Ｈ間の寸法の異なる各種の車椅子Ｗに装着することができ、使用の融通性を高めることができ、又、この場合、上記ジャッキ機構３はパンタグラフ構造であるから、簡素な構造とすることができると共に容易に車椅子Ｗを持ち上げて浮上させることができ、車輪清掃の作業性を向上することができる。
【００１６】
図９乃至図１１の第二形態例は別例構造を示し、この場合、上記第一形態例に対して下記の構造の別例構造であって、すなわち、上記各スライド筒１ｂ・１ｂに上記フレーム構成部分Ｍとしての車椅子Ｗ後部に配置された上記水平フレームＨ・Ｈの延長部分たる左右一対のティッピングレバーＴ・Ｔに係脱自在な嵌挿穴１ｅ・１ｅが形成され、このティッピングレバーＴ・Ｔは段差乗り越え時などにおいて介護者が足で踏み下げることにより前輪Ｋを浮かせるための部材であり、かつ、この場合、持上体１のスライド筒１ｂ・１ｂに形成した嵌挿穴１ｅ・１ｅ間の寸法がフレーム構成部分Ｍとしての左右一対のティッピングレバーＴ・Ｔ間の寸法に応じて左右方向に伸縮調節できるように構成している。
【００１７】
この第二形態例にあっては、図１０、図１１の如く、上記接地輪４の転動により接地体２を走行して車椅子Ｗのフレーム構成部分Ｍ、この場合、左右の車輪Ｅ・Ｅ間に位置するティッピングレバーＴ・Ｔに対向する位置に移動配置し、持上体１に形成した左右一対の嵌挿穴１ｅ・１ｅをティッピングレバーＴ・Ｔに挿通して持上体１を車椅子Ｗのフレーム構成部分Ｍに挿通し、図１０の如く、手回ハンドルＦを螺子杆３ｊの係脱部３ｋに係合して螺子杆３ｊを回転させ、パンタグラフ構造のジャッキ機構３により接地体２を降下させ、図１０から図１１の如く、接地体２下面の緩衝部材２ｅは接地面Ｄに接地し、更なる接地体２の降下により前輪Ｋと接地面Ｄとの接触点を中心として車椅子Ｗは後側が持ち上がって浮上動作し、この車椅子Ｗの浮上により後輪たる車輪Ｅは空転可能となり、この空転状態で後輪たる車輪Ｅを雑巾などにより容易に清掃することができ、上記第一形態例と同様な作用効果を得ることができる。
【００１８】
この場合、上記フレーム構成部分Ｍは車椅子Ｗ後部に配置された左右一対のティッピングレバーＴ・Ｔであるから、車椅子Ｗのフレーム構成部分Ｍに対する持上体１の係脱を容易に行うことができると共に車椅子Ｗの後側を持ち上げて浮上動作させることができ、車輪Ｅを容易に清掃することができ、この車椅子Ｗの浮上により後輪たる車輪Ｅは空転可能となり、この空転状態で後輪たる車輪Ｅを雑巾などにより容易に清掃することができる。
【００１９】
尚、本発明は上記実施の形態例に限られるものではなく、持上体１、接地体２、ジャッキ機構３、接地輪４、浮上バネ機構５の構造等は適宜変更して設計されるものである。
【００２０】
以上、所期の目的を充分達成することができる。
【図面の簡単な説明】
【００２１】
【図１】本発明の実施の第一形態例の斜視図である。
【図２】本発明の実施の第一形態例の側面図である。
【図３】本発明の実施の第一形態例の側断面図である。
【図４】本発明の実施の第一形態例の使用状態の全体斜視図である。
【図５】本発明の実施の第一形態例の使用状態の全体後面図である。
【図６】本発明の実施の第一形態例の使用状態の後面図である。
【図７】本発明の実施の第一形態例の使用状態の側面図である。
【図８】本発明の実施の第一形態例の使用状態の後面図である。
【図９】本発明の実施の第二形態例の斜視図である。
【図１０】本発明の実施の第二形態例の全体側面図である。
【図１１】本発明の実施の第二形態例の後面図である。
【符号の説明】
【００２２】
Ｗ    車椅子
Ｍ    フレーム構成部分
Ｔ    ティッピングレバー
Ｈ    水平フレーム
１    持上体
２    接地体
３    ジャッキ機構
４    接地輪
５    浮上バネ機構
【図１】
2011156087.tif 000003
【図２】
2011156087.tif 000004
【図３】
2011156087.tif 000005
【図４】
2011156087.tif 000006
【図５】
2011156087.tif 000007
【図６】
2011156087.tif 000008
【図７】
2011156087.tif 000009
【図８】
2011156087.tif 000010
【図９】
2011156087.tif 000011
【図１０】
2011156087.tif 000012
【図１１】
2011156087.tif 000013